(57)【要約】      （修正有）【課題】バッテリ装置が充電装置に接続されて充電が行われるシステムにおいて、充電を制限したい時間に充電を制限するバッテリ装置を提供する。【解決手段】電子機器及び充電器に着脱自在に接続されて、前記充電器との間で情報を送受できるバッテリ装置であって、前記充電器を介して供給された電力を蓄える蓄電池と、前記蓄電池から供給される電力に基づいて駆動し、時刻を計時する計時部と、前記充電器から前記蓄電池への電力供給を制限する時間に関する情報を保持する情報保持部とを備える。【選択図】図３
2014039445.tif 000002
【特許請求の範囲】
【請求項１】
電子機器及び充電器に着脱自在に接続されて、前記充電器との間で情報を送受できるバッテリ装置であって、
前記充電器を介して供給された電力を蓄える蓄電池と、
前記蓄電池から供給される電力に基づいて駆動し、時刻を計時する計時部と、
前記充電器から前記蓄電池への電力供給を制限する時間に関する時間情報を保持する情報保持部とを備えること
を特徴とするバッテリ装置。
【請求項２】
請求項１に記載のバッテリ装置において、前記時間情報は、前記充電器から前記蓄電池への電力供給を禁止する時間の情報を含むこと
を特徴とするバッテリ装置。
【請求項３】
請求項１に記載のバッテリ装置において、前記時間情報は、前記充電器から前記蓄電池への電力供給を制限しない時に蓄電池に供給する第１供給量に比べて少ない第２供給量で電力供給を行う時間の情報を含むこと
を特徴とするバッテリ装置。
【請求項４】
請求項１から請求項３のいずれか一項に記載のバッテリ装置において、
バッテリ装置が前記充電器に対して接続されている場合、前記時間情報に示される時間に前記計時部の計時する時刻が含まれているときには、前記蓄電池への電力供給を制限するよう制御する制御部を更に備えること
を特徴とするバッテリ装置。
【請求項５】
請求項１から請求項３に記載のバッテリ装置において、
バッテリ装置が前記充電器に接続されている場合、前記時間情報に示される時間に前記計時部の計時する時刻が含まれているときには、前記充電器に対して前記蓄電池への電力供給を制限するための情報を送信すること
を特徴とするバッテリ装置。
【請求項６】
請求項１から請求項５のいずれか一項に記載のバッテリ装置において、
前記充電器から前記蓄電池への電力供給に関する情報を情報表示する表示部をさらに備えること
を特徴とするバッテリ装置。
【請求項７】
請求項６に記載のバッテリ装置であって、
前記情報表示は、前記電力供給を制限している状態を示す情報表示であること
を特徴とするバッテリ装置。
【請求項８】
請求項１から請求項７のいずれか一項に記載のバッテリ装置であって、
前記蓄電池が蓄電している蓄電量を検出する検出部と、
前記蓄電池への電力供給を完了したい時刻を第一時刻として設定する設定部と、
前記充電器から前記蓄電池への電力供給量と前記検出部が検出する蓄電量とに基づいて前記充電器から前記蓄電池への電力供給が完了する時刻を第二時刻として算出する算出処理と、前記第一時刻と前記第二時刻とを比較する比較処理とを行う制御部とを備え、
前記制御部は、前記第一時刻が前記第二時刻以前の時刻である場合は、前記充電器から前記蓄電池への電力供給を制限しないこと
を特徴とするバッテリ装置。
【請求項９】
請求項１から請求項８のいずれか一項に記載のバッテリ装置であって、
前記時間情報はユーザーによって設定された情報であること
を特徴とするバッテリ装置。
【請求項１０】
請求項１から請求項９のいずれか一項に記載のバッテリ装置であって、
前記時間情報を無線により受信可能な受信部と、
前記受信部が受信した前記時間情報を保持する情報保持部と、
前記情報保持部に前記時間情報を記録する制御部とを備えること
を特徴とするバッテリ装置。
【請求項１１】
請求項１から請求項１０のいずれか一項に記載のバッテリ装置が着脱自在に接続されて、前記バッテリ装置との間で情報の送受が可能な撮像装置であって、
前記時間情報を、ユーザーが入力可能な入力部と、
入力された前記時間情報をバッテリ装置に対して出力する出力部とを備えること
を特徴とする撮像装置。
【請求項１２】
請求項１から請求項１０のいずれか一項に記載のバッテリ装置が着脱自在に接続されて、前記バッテリ装置との間で情報の送受が可能な充電装置であって、
前記時間情報を受信する受信部と、
受信した前記時間情報に基づいて電力供給を制限するよう制御する制御部とを備えること
を特徴とする充電装置。
【発明の詳細な説明】
【技術分野】
【０００１】
本発明は、充電可能であり、かつ電子機器に対して給電可能なバッテリ装置に関する。
【背景技術】
【０００２】
従来、電子機器に対して着脱可能なバッテリ装置（たとえば、カメラ用バッテリ装置であって、マイコンや二次電池などを備えるバッテリ装置）を用いる電子機器システム（たとえば、カメラシステム）が知られている。この電子機器システムには、電子機器（カメラ本体）から取外されたバッテリ装置を充電装置に接続して充電を行うように構成されているものもある。近年、このような電子機器システムにおいて、所望の時間帯では充電を制限できる仕組みが要望されている。
一方、携帯電話を充電装置に接続することによって、携帯電話内のバッテリ（二次電池）に対して充電制御を行う携帯電話（充電制御装置を備えた携帯電話）の充電システムが知られている。この携帯電話の充電システムでは、充電を禁止する時間帯に充電装置に接続された場合には、充電を禁止制御するよう構成されている。（特許文献１参照）。
【先行技術文献】
【特許文献】
【０００３】
【特許文献１】特開２００２−７５４６３号公報
【発明の概要】
【発明が解決しようとする課題】
【０００４】
しかしながら、特許文献１に記載の充電システムでは、バッテリを携帯電話から取外して充電を行うという概念が無い。このため電子機器に対して着脱可能なバッテリ装置を用いる電子機器システムにおいて、特許文献１の充電システムの考え方を適用して充電の禁止制御を実現することはできなかった。
【課題を解決するための手段】
【０００５】
請求項１に記載のバッテリ装置は、電子機器及び充電器に着脱自在に接続されて、前記充電器との間で情報を送受できるバッテリ装置であって、前記充電器を介して供給された電力を蓄える蓄電池と、前記蓄電池から供給される電力に基づいて駆動し、時刻を計時する計時部と、前記充電器から前記蓄電池への電力供給を制限する時間に関する時間情報を保持する情報保持部とを備えることを特徴とする。
請求項１１に記載の撮像装置は、バッテリ装置が着脱自在に接続されて、前記バッテリ装置との間で情報の送受が可能な撮像装置であって、前記時間情報を、ユーザーが入力可能な入力部と、入力された前記時間情報をバッテリ装置に対して出力する出力部とを備えることを特徴とする。
請求項１２に記載の充電装置は、バッテリ装置が着脱自在に接続されて、前記バッテリ装置との間で情報の送受が可能な充電装置であって、前記時間情報を受信する受信部と、受信した前記時間情報に基づいて電力供給を制限するよう制御する制御部とを備えることを特徴とする。
【発明の効果】
【０００６】
本発明のバッテリ装置によれば、バッテリ装置が充電装置に接続されて充電が行われるときに、充電を制限したい時間に充電を制限することが可能となる。
【図面の簡単な説明】
【０００７】
【図１】本実施形態におけるバッテリ装置１と充電器１０の電気的構成を示したブロック図である。
【図２】本実施形態におけるカメラ本体２０の電気的構成を示したブロック図である。
【図３】本実施形態におけるバッテリ装置１と充電器１０の制御の一例を示したフローチャートである。
【図４】本実施形態におけるバッテリ装置１とカメラ本体２０の制御の一例を示した図である。
【図５】本実施形態におけるバッテリ装置１の電力供給量と蓄電量と充電の時間との関係を示した図である。
【図６】カメラ表示部２６への表示例を示した図である。
【図７】本実施形態におけるバッテリ装置１の他の電気的構成を示したブロック図である。
【図８】本実施形態におけるバッテリ装置４０の制御の一例を示したフローチャートである。
【発明を実施するための形態】
【０００８】
以下、本発明の実施の形態を、図面を用いて説明する。
なお、本実施形態における「時間」と「時間帯」とは、同義の用語として説明を行う。
[第１実施形態]
本実施形態では、バッテリ装置１として、カメラに使用されるカメラ用バッテリ装置を例に挙げて説明する。
図１は、本実施形態におけるバッテリ装置１と充電器１０との電気的構成を示したブロック図である。
【０００９】
まず、バッテリ装置１の構成要素について説明する。
バッテリ装置１は、バッテリ装置制御部２と、メモリ３と、現在時刻を計時するリアルタイムクロック回路４（以下、ＲＴＣ回路４と略す）と、充放電制御スイッチ５と、電池セル６と、電源回路７と、バッテリ装置接点８と、表示部９と、を備えている。
【００１０】
バッテリ装置制御部２は、メモリ３と、ＲＴＣ回路４と、充放電制御スイッチ５と、バッテリ装置接点８と、表示部９とに電気的に接続される。
バッテリ装置制御部２は、充放電制御スイッチ５の開閉を制御する。さらに、バッテリ装置制御部２は、充放電制御スイッチ５の開閉を制御することで、単位時間あたりの電力供給量を制御できる。その詳細については、図３のフローチャートの説明にて後述する。
バッテリ装置制御部２は、バッテリ装置通信接点８と充電器接点１３を介して後述の充電器制御部１１との間で種々の情報通信を行う。種々の情報として、電池セル６への「充電を制限する時間」に関する情報、電池セル６の蓄電している蓄電量の情報、充電制御に関する情報などが含まれる。なお、これらの種々の情報についての詳細は後述する。
バッテリ装置制御部２は、ＲＴＣ回路４と通信することにより、ＲＴＣ回路４の現在時刻を読み出すことができる。バッテリ装置制御部２は、この現在時刻が上述の「充電を制限する時間」に含まれる場合は、後述する充電の「制限の割合」に応じて充放電制御スイッチ５の開閉を制御する。なお、現在時刻が上述の「充電を制限する時間」に含まれない場合は、充放電制御スイッチ５を閉（短絡）に制御する。
バッテリ装置制御部２は、電池セル６に蓄電されている蓄電量を一定周期で算出する。算出した蓄電量と、充電中に電池セル６に供給される電力供給量とに基づいて充電完了（電池セル６が、その充電容量の略１００％の電荷で満たされている満充電の状態）の予定時刻を算出する。詳細は後述する。
なお、周知の充電制御動作と同様に、バッテリ装置制御部２は、充電器１０から電池セル６への給電について過充電、過電流を監視して、超過を判断した場合、充放電制御スイッチ５を開いて（開放して）充放電を禁止するように制御できる。
【００１１】
メモリ３は、（Ａ）「充電を制限する時間」の情報、（Ｂ）制限の割合の情報、（Ｃ）充電制御に関する情報などを保持している。
（Ａ）「充電を制限する時間」の情報は、「充電の制限を開始及び終了する時刻の情報」（たとえば、「開始時刻１１時００分と終了時刻１３時００分」）や、「充電の制限を開始する開始時刻と充電を制御する時間の情報」（たとえば、「開始時刻１１時００分より２時間」）」などを含む。
（Ｂ）制限の割合の情報は、「充電を制限する時間」とは異なる時間に充電器１０から電池セル６へ供給される供給電力を１００％とした場合の、「充電を制限する時間」に供給される供給電力の割合ｎ（０≦ｎ＜１００）％の情報である。ここで、数値ｎは有限の値である。また、充電を制限しているため、供給電力の割合としての数値ｎは、１００を含まない値となる。
（Ｃ）充電制御に関する情報は、充電を制限している時間帯に充電器１０に接続された場合に、後述の充電器制御部１１に対して充電エラーでない旨を通知するための情報である。たとえば、充電を制限していないときは「０」、充電を制限しているときは「１」などのフラグ情報である。ここで、充電エラーとは、充電器１０から電池セル６への供給電力の割合が１００％でないときに、充電器制御部１１が何らかの充電トラブルが生じたものと判断して電源供給回路１２から電池セル６への電力供給を停止してしまうエラーである。
充電トラブルとして、充電器１０からバッテリ装置１へ供給する電力の割合が１００％でない充電トラブルが挙げられる。
もしこの様な状態を充電器制御部１１が充電エラーとして認識した場合、結果として、充電を制限したい（たとえば、供給する電力の割合を５０％としたい）時間帯にもかかわらず充電が禁止されてしまう（供給する電力の割合が０％になる）。そこで本実施形態では、このような充電エラーを未然に防ぐために充電器制御部１１が、上述した充電エラーでない旨の情報をバッテリ装置制御部２から事前に通知を受けておくことにより、充電器制御部１１は、充電トラブルが生じたと判断しても、充電エラーとして認識せず、バッテリ装置１へ向けて電力供給が行われる。
【００１２】
ＲＴＣ回路４は、水晶発振器とレジスタとで構成されている。
水晶発振器は、一定周期で発振することにより時刻（カウント値）を計時する。
レジスタは、水晶発振器が計時した時刻（カウント値）をユーザーが認識できる現在時刻の時間情報として保持し、一定周期で更新し続ける。
【００１３】
充放電制御スイッチ５は、ＦＥＴトランジスタである。バッテリ装置制御部２から通電許可の指示があるとオンになり、バッテリ装置制御部２から通電禁止の指示があるとオフになる。
電力供給量の割合は、充放電制御スイッチ５が継続的にオン（短絡）になっているときは１００％である。充放電制御スイッチ５が継続的にオフ（開放）になっているときは０％である。電力供給量の割合はバッテリ装置制御部２が充放電制御スイッチ５のオンとオフとを繰返し切替えるよう制御したときは、単位時間当たりのオン／オフのそれぞれの時間に応じた割合ｎ％（０＜ｎ＜１００を満たす任意の数）である。
【００１４】
電池セル６は、電源回路７や後述するカメラ本体２０へ供給するための電力を蓄える蓄電池である。電池セル６は、複数個の電池セルを直列又は並列に接続して構成してもよい。電源回路７は、電池セル６に蓄電されている電力を各部の動作レベルに変換し、バッテリ装置１の各部に供給する。
【００１５】
バッテリ装置接点８は、＋（プラス）接点８ａと、装着検出接点８ｂと、情報通信接点８ｃと、−（マイナス）接点８ｄと、で構成されている。バッテリ装置接点８の情報通信接点８ｃが充電器接点１３の情報通信接点１３ｃと当接し電気的に接続することにより、バッテリ装置制御部２は、充電器制御部１１と様々な通信を行うことができる。たとえば、バッテリ装置１が正規品であることを確認するための証明データ通信や、充電の制限に関する情報（Ａ）乃至（Ｃ）通信などを行うことができる。
また、バッテリ装置接点８の情報通信接点８ｃが後述するカメラ接点２３の情報通信接点２３ｃと当接して電気的に接続することにより、バッテリ装置制御部２は、カメラ本体制御部２１と様々な通信を行うことができる。たとえば、充電を制限する時間に関するデータ通信や、電池セル６に蓄電される蓄電量通信を行う。＋接点８ａ及び−接点８ｄは、充電器１０からバッテリ装置１への電力供給又はバッテリ装置１からカメラ本体２０への電力供給を行うときに通電するための電気接点である。
なお、バッテリ装置接点８の＋接点８ａ及び−接点８ｄと充電器接点１３の＋接点１３ａ及び−接点１３ｄは、非接触方式としてもよい。その場合は、バッテリ装置接点８の＋接点８ａ及び−接点８ｄ並びに充電器接点１３の＋接点１３ａ及び−接点１３ｄを電磁コイル等で置換して構成すればよい。
装着検出接点８ｂは、バッテリ装置１の充電器１０への装着の有無又はバッテリ装置１のカメラ本体２０への装着の有無を検出するための電気接点である。バッテリ装置制御部２によるバッテリ装置１の充電器１０への装着検出又はバッテリ装置１のカメラ本体２０への装着検出は、バッテリ装置制御部２が、装着検出接点８ｂの電圧がハイレベルとローレベルの間で切換わったか否かを判断することで行う。
【００１６】
表示部９は、ＬＥＤや液晶表示装置などで構成されており、充電完了の予定時刻や、充電器１０から電池セル６への電力供給量の割合などを表示する。
なお、表示部９は、バッテリ装置１の小型化や軽量化の観点においては構成要素として特に必要ではない。そのため、バッテリ装置１の小型化を考慮するならば、バッテリ装置１は表示部９を除いて構成されてもよい。
【００１７】
次に、充電器１０の構成要素について説明する。
充電器１０は、充電器制御部１１と、電源供給回路１２と、充電器接点１３とを備えている。また、充電器１０と電源プラグ１４は電気的に接続されている。
【００１８】
充電器制御部１１は、充電器接点１３とバッテリ装置接点８とを介してバッテリ装置制御部２と通信を行う。充電器制御部１１は、充電トラブルが生じた場合であっても、バッテリ装置制御部２から充電エラーでない旨の情報が通知されたときには、電源供給回路１２に対して電力供給を行うよう制御する。
【００１９】
電源供給回路１２は、充電器制御部１１からの指示に基づいて、充電器接点１３とバッテリ装置接点８を介して電池セル６へ向けて電力供給を行う。
【００２０】
充電器接点１３は、＋接点１３ａと、装着検出接点１３ｂと、情報通信接点１３ｃと、−接点１３ｄと、で構成されている。バッテリ装置接点８が充電器接点１３に当接されることにより、充電器接点１３の＋接点１３ａとバッテリ装置接点８の＋接点８ａ、装着検出接点１３ｂと装着検出接点８ｂ、情報通信接点１３ｃと情報通信接点８ｃ、−接点１３ｄと−接点８ｄは、それぞれ電気的に接続される。バッテリ装置１の−接点８ｄと充電器１０の−接点１３ｄとの間の接続は、バッテリ装置１と充電器１０の全構成要素の電圧基準（いわゆるＧＮＤ）である。情報通信接点１３ｃは、充電器制御部１１からの指示を、情報通信接点８ｃを介してバッテリ装置制御部２に伝達するための通信接点である。
【００２１】
次に、カメラ本体２０の構成要素について図２を用いて説明する。
カメラ本体２０は、カメラ本体制御部２１と、ＤＣ／ＤＣコンバータ２２と、カメラ接点２３と、シーケンス駆動回路２４と、情報入力部２５と、カメラ表示部２６と、メモリ２７とを備えている。
【００２２】
カメラ本体制御部２１は、情報入力部２５からの入力信号に基づき、バッテリ装置１の「充電を制限する時間の情報」や「充電の割合の情報」などを設定する。詳細は、図４を用いた説明にて後述する。
カメラ本体制御部２１は、情報入力部２５の構成する不図示のレリーズスイッチがオンになったことを判断すると、シーケンス駆動回路２４に撮影シーケンスに関する指示信号を出力する。
【００２３】
カメラ接点２３は、＋接点２３ａと、装着検出接点２３ｂと、情報通信接点２３ｃと、−接点２３ｄとの電気接点で構成されている。カメラ本体２０の情報通信接点２３ｃがバッテリ装置１の情報通信接点８ｃと当接されることによりカメラ本体制御部２１は、バッテリ装置制御部２と電気的に接続されて様々な通信を行うことができる。詳細は、図４を用いた説明にて後述する。
バッテリ装置１から＋接点２３ａと−接点２３ｄを介して供給される電力は、シーケンス駆動回路２４において撮影シーケンスに必要な電源として供給されるとともに、ＤＣ／ＤＣコンバータ２２においてカメラ本体２０内の構成要素に必要な電圧レベルに調整されてカメラ本体２０内の各部に供給される。
【００２４】
シーケンス駆動回路２４は、上述の指示信号をカメラ本体制御部２１から受信すると、不図示のシャッターや絞りなどの周知の撮影機構を駆動し、一連の撮影シーケンスを実行する。結果として、１枚又は複数枚の画像データが生成される。
カメラ本体制御部２１は、上述の一連の撮影シーケンスのよって得られた画像データをメモリ２７に記録する。
【００２５】
情報入力部２５は、不図示の十字釦と、決定釦と、メニュー釦とに電気的に接続されている。
十字釦は、カメラ表示部２６に表示されている項目からユーザーが実行したい機能に関する項目を選択するためにユーザーが上下左右の方向を操作する釦である。決定釦は、十字釦を操作し選択した項目を決定するためにユーザーが押下する釦である。メニュー釦は、メニュー画面をカメラ表示部２６に表示するためにユーザーが押下する釦である。
【００２６】
カメラ表示部２６は、たとえば液晶表示装置等で構成されており、画像やメニュー画面等を表示する。
メモリ２７は、カメラ本体制御部２１の制御によって記録された画像データを保持する。
【００２７】
次に、バッテリ装置制御部２と充電器制御部１１の制御を図３に示すフローチャートを用いて説明する。なお、図３（ａ）はバッテリ装置制御部２の制御、図３（ｂ）は充電器制御部１１の制御を表している。
また、バッテリ装置制御部２の制御は、電池セル６の蓄電量が０よりも大きいときに、所定周期で実行される。充電器制御部１１の制御は、電源プラグ１４が商用電源と接続されているときに、所定周期で実行される。
まず、バッテリ装置制御部２の制御について図３（ａ）を用いて説明する。
【００２８】
ステップＳ１０１にて、バッテリ装置制御部２は、メモリ３から「充電の制限を開始する時刻」と「充電の制限を終了する時刻」を読み出す。
【００２９】
ステップＳ１０２にて、バッテリ装置制御部２は、ＲＴＣ回路４の有するレジスタに保持されている現在時刻と、それに対応するカウント値とを読み出す。
【００３０】
ステップＳ１０３にて、バッテリ装置制御部２は、周知の手法により電池セル６の蓄電量を算出する。
ステップＳ１０４にて、バッテリ装置制御部２は、バッテリ装置１の装着検出接点８ｂと充電器接点１３の装着検出接点１３ｂが当接することにより電気的に接続され、装着検出接点８ｂの電圧がハイレベルとローレベルとの間で切替わったか否かを判断する。
電圧がハイレベルとローレベルの間で切替わったと判断した場合は、ステップＳ１０５に進み、電圧がハイレベルとローレベルで切替わっていないと判断した場合は、ステップＳ１０１に戻る。
【００３１】
ステップＳ１０５にて、バッテリ装置制御部２は、後述するステップＳ１０６で使用する電力供給の割合をメモリ３から読み出す。
【００３２】
ステップＳ１０６にて、バッテリ装置制御部２は、充電を制限しない時間帯における電力供給量と、充電を制限する時間帯における電力供給量と、電池セル６の蓄電量とに基づいて充電完了の予定時刻を算出する。
【００３３】
ここで、充電完了の予定時刻の算出方法について、図５を用いて説明する。
図５において、左側の縦軸は、電力供給回路１２から電池セル６へ電力供給される供給量の割合を示している。右側の縦軸は、上述の電力供給による電池セル６の蓄電量を表している。横軸は、充電動作中の時間を示している。
なお、条件として、充電を行う前のバッテリ装置６の蓄電量はバッテリ装置制御部２が動作する最小限の蓄電量（略０％）である。また、充電を制限する時間帯における電力供給量の割合は、その時間帯に供給される電力供給量の割合の設定値（５０％）を示している。
横軸上の時刻ｔ１は、充電を開始する時刻である。具体的には、バッテリ装置１が、電源プラグ１４を介して商用電源に接続されている充電器１０に接続される時刻である。
時刻ｔ２は、充電の制限を開始する時刻であり、時刻ｔ３は充電の制限を終了する時刻である。これら時刻ｔ２とｔ３は、ステップＳ１０１にてメモリ３から読み出した時刻である。時刻ｔ４は、電池セル６が満充電となる充電完了の予定時刻である。
時刻ｔ１にて、バッテリ装置１の充電が開始されると、バッテリ装置制御部２は、時刻ｔ１から時刻ｔ２までの電力供給量（電力供給の割合が１００％のときの電流と時間（ｔ２−ｔ１）から算出される電力供給量）と、時刻ｔ２からｔ３までの電力供給量（電力供給の割合が５０％のときの電流と時間（ｔ３−ｔ２）から算出される電力供給量）と、時刻ｔ３以降の電力供給量（電力供給の割合が１００％のときの電流と時間（ｔ４−ｔ３）の時間から算出される電力供給量）とに基づいて、電池セル６の蓄電量の変移を計算し、電池セル６が満充電の状態になる時刻ｔ４を算出する。すなわち、時刻ｔ４は可変の時刻である。
【００３４】
ステップＳ１０７にて、バッテリ装置制御部２は、「予め設定された、充電の完了を希望する希望時刻（充電完了の希望時刻）」がメモリ３に保持されているか否かを判断する。保持されていると判断すると、ステップＳ１０８に進む。保持されていないと判断すると、ステップＳ１０９に進む。
ここで、充電完了の希望時刻とは、ユーザーの希望する「充電完了の時刻（電池セル６が満充電の状態になっていて欲しい時刻）」であり、予めカメラ本体２０などを用いることにより設定可能である。
【００３５】
ステップＳ１０８にて、バッテリ装置制御部２は、メモリ３に保持されている「予め設定された、充電の完了を希望する希望時刻（以降では、「希望時刻」と称す）」と「ステップＳ１０６にて算出された、充電完了の予定時刻（以降では予定時刻と称す）」とを比較する。予定時刻が、希望時刻よりも早い時刻又は同時刻である場合、ステップＳ１０９に進む。予定時刻が、希望時刻より遅い時刻である場合、ステップＳ１１０に進む。
具体的には、ステップＳ１０２にて読み出したＲＴＣ回路４の予定時刻と希望時刻とのカウント値を比較して、希望時刻のカウント値が予定時刻のカウント値以下である場合は、ステップＳ１０９に進む。希望時刻のカウント値が予定時刻のカウント値より大きい場合は、ステップＳ１１０に進む。
なお、ステップＳ１０８にて、ステップＳ１１０に進む判断をした場合、バッテリ装置制御部２は、表示部９に充電を制限していないことを示す表示を行ってもよい。具体的には、バッテリ装置制御部２は表示部９に「充電制限しません」と表示する。
【００３６】
ステップＳ１０９にて、メモリ３から読み出した充電の制限を開始する開始時刻と充電の制限を終了する終了時刻と、ＲＴＣ回路４から読み出した現在時刻とを比較する。具体的には、上述の現在時刻が上述の「充電を制限する時間」に含まれていないと判断した場合は、ステップＳ１１０に進む。上述の現在時刻が上述の「充電を制限する時間」に含まれていると判断した場合は、ステップＳ１１１に進む。
【００３７】
ステップＳ１１０にて、バッテリ装置制御部２は、充放電制御スイッチ５をオンになるように制御する。結果として、電源供給回路１２より電池セル６へ向けて電力供給が開始されると電力供給の割合１００％の給電が行われ、充電は制限されない。
ステップＳ１０８を経てステップＳ１１０に進んだ場合、「充電を制限する時間」が存在したために希望時刻になっても充電が完了していない状態になることを防げる。
【００３８】
ステップＳ１１１にて、メモリか３から読み出した電力供給の割合が０％に設定されているか判断する。０％以外が設定されている場合は、ステップＳ１１２に進む。０％に設定されている場合は、ステップＳ１１４に進む。
【００３９】
ステップＳ１１２にて、メモリ３から読み出した電力供給の割合に基づいて、充放電制御スイッチ５のオンとオフとの動作を繰返し行うためのタイミングを算出する。たとえば、電力供給の割合が５０％に設定されている場合、単位時間あたりの充放電制御スイッチ５がオンになる時間が半分になるようなタイミングを算出する。たとえば、単位時間は１秒間である。電力供給の割合が５０％のときは、バッテリ装置制御部２は、充放電制御スイッチ５が０．５秒間オンとなり０．５秒間オフとなるようなオンとオフとの切替のタイミングを算出する。
【００４０】
ステップＳ１１３にて、バッテリ装置制御部２は、ステップＳ１１２にて算出されたタイミングに基づいて、充放電制御スイッチ５のオンとオフとの動作を制御する。結果として、電力供給回路１２より電池セル６へ向けて電力供給が開始されると給電が行われるが、充電は制限される。単位時間当たりの電気供給量は、充放電制御スイッチ５を常にオンにしているときに比べて減少する。例えば、電力供給の割合が５０％に設定されている場合は、単位時間当たりの電力供給量は、充放電制御スイッチ５を常時オンにしているときの電力供給量に比べて半分となる。
【００４１】
ステップＳ１１４にて、バッテリ装置制御部２は、充放電制御スイッチ５をオフになるように制御する。結果として、電気供給回路１２より電池セル６へ向けて電力供給が開始されても給電は行われず、充電は禁止される。
【００４２】
ステップＳ１１５にて、バッテリ装置制御部２は、バッテリ装置１の情報通信接点８ｃと充電器１０の情報通信接点１３ｃとを介して充電器制御部１１と通信を行う。
具体的には、「充電エラーでない旨の情報」通信、「バッテリ装置２が正規品であることを確認する証明情報」通信、充電器制御部１１に電源供給回路１２を制御せしめて電力を供給させるための「電力供給の要求情報」通信などである。
なお、バッテリ装置制御部２と充電器制御部１１との間の通信は、充電器制御部１１がバッテリ装置制御部２に対して通信を要求し、バッテリ装置制御部２が応答することで成立する。
【００４３】
ステップＳ１１６にて、バッテリ装置制御部２は、ステップＳ１０５にてメモリ３から読出した電力供給の割合や、ステップＳ１０６にてバッテリ装置制御部２が算出した充電完了の予定時刻などを表示する。
【００４４】
ステップＳ１１７にて、バッテリ装置制御部２は、ステップＳ１０３にて算出された蓄電量を用いて電池セル６に蓄電される蓄電量が満充電（電池セル６の充電容量と略同量の蓄電量）になったか否かを判断する。電池セル６が満充電になったと判断した場合、ステップＳ１１８に進む。電池セル６が満充電になってないと判断した場合、ステップＳ１０２に戻る。
【００４５】
ステップＳ１１８にて、バッテリ装置制御部２は、電池セル６が満充電になったことを充電器制御部１１へ通知して、処理を終了する。
【００４６】
次に、充電器制御部１１の制御について、図３（ｂ）を用いて説明する。
【００４７】
ステップＳ２０１にて、充電器制御部１１は、バッテリ装置接点８の情報通信接点８ｃが充電器接点１３の情報通信接点１３ｃに当接されるまで待機する。両接点が当接されて電気的に接続されたと判断した場合、ステップＳ２０２に進む。
【００４８】
ステップＳ２０２にて、充電器制御部１１は、充電器１０の情報通信接点１３ｃとバッテリ装置１の情報通信接点８ｃとを介してバッテリ装置制御部２と通信を行う。充電器制御部１１は、バッテリ装置制御部２に対してステップＳ１１５で上述した情報を要求する。
ステップＳ２０２と、それに対応するステップＳ１１５は、周知の調歩同期方式による通信を行う。バッテリ装置制御部２は、充電器制御部１１からの要求に応じて、情報を送信する。
【００４９】
ステップＳ２０３で、充電器制御部１１は、バッテリ装置制御部２から「電力供給の要求情報」と、「バッテリ装置１が正規品であることを確認する証明情報」と、「充電エラーでない旨の情報」とが受信されたことに基づいて、バッテリ装置１への電力供給が可能であるか否かを判断する。、「電力供給の要求情報」と、「バッテリ装置１が正規品であることを確認する証明情報」と、「充電エラーでない旨の情報」との３つの情報が受信された場合、ステップＳ２０４に進み、バッテリ装置１に向けて電力を供給する。上述の３つの情報の内、何れか１つでも受信していない場合は、３つの情報を受信するまで待機する。
【００５０】
ステップＳ２０５にて、バッテリ装置制御部２から、電池セル６が満充電状態になったことを通知されると、充電器制御部１１は、電源供給回路１２を制御することによりバッテリ装置１への電力供給を停止する。
【００５１】
次に、カメラ本体２０における「充電の制限に関する情報」のバッテリ装置１への設定に関するバッテリ装置制御部２とカメラ本体制御部２１との制御を図４に示すフローチャートを用いて説明する。
図４（ａ）は、バッテリ装置制御部２の制御を示している。図４（ｂ）は、バッテリ装置１がカメラ本体２０に装着されたときのカメラ本体制御部２１の制御を示している。
【００５２】
ステップＳ１５１にて、バッテリ装置制御部２は、バッテリ装置１の装着検出接点８ｂとカメラ本体２０の装着検出接点２３ｂが当接することにより、接点の電圧がハイレベルとローレベルとの間で切替わったことを検知すると、充放電制御スイッチ５をオンになるよう制御することでカメラ本体２０に向けて電力供給を行う。
ステップＳ３０１において、カメラ本体側制御部２１は、バッテリ装置１からの電力供給を待機する。カメラ本体制御部２１は、カメラ本体２０の＋接点２３ａ及び−接点２３ｄが、バッテリ装置１の＋接点８ａ及び−接点８ｄと当接し電気的に接続されることにより電力が供給されると、ステップＳ３０２に進む。
【００５３】
ステップＳ３０２にて、カメラ本体制御部２１は、情報入力部２５から充電制限時間設定モードを起動するための信号が入力された場合は、ステップＳ３０３に進む。信号が入力されていない場合は、ステップＳ３０５に進む。
【００５４】
ステップＳ３０３にて、カメラ本体制御部２１は、図６（ａ）に示される画面をカメラ表示部２６に表示して、ステップＳ３０４に進む。
なお、図６（ａ）は、「充電制限時間」の初期値として開始時刻を１２時００分及び終了時刻１５時００分がメモリ３に保存されているときに、カメラ表示部２６に表示される画面の一例である。
【００５５】
ステップＳ３０４にて、カメラ本体制御部２１は、不図示の十字釦や決定釦が操作されることで情報入力部２５から送られた信号に基づき、「充電を制限する時間」の開始時刻３０及び終了時刻３１を設定する。カメラ本体制御部２１は、バッテリ装置制御部２に上述の開始時刻３０と終了時刻３１を通知して、ステップＳ３０５に進む。
ステップＳ１５２にて、バッテリ装置制御部２は、カメラ本体制御部２１から通知された開始時刻３０と終了時刻３１をメモリ３に記録する。
【００５６】
ステップＳ３０５にて、カメラ本体制御部２１は、情報入力部２５から充電制限割合モードを起動するための信号が入力されると、ステップＳ３０６に進む。信号が入力されていない場合は、ステップＳ３０８に進む。
ステップＳ３０６にて、カメラ本体制御部２１は、図６（ｂ）に示される画面をカメラ表示部２６に表示して、ステップＳ３０７に進む。
なお、図６（ｂ）は、「充電制限の割合」の初期値として５０％がメモリ３に保存されているときに、カメラ表示部２６に表示される画面の一例である。
【００５７】
ステップＳ３０７にて、カメラ本体制御部２１は、不図示の十字釦や決定釦が操作されることで情報入力部２５から送られた信号に基づき、充電を制限する割合３２を設定する。カメラ本体制御部２１は、バッテリ装置制御部２に上述した充電を制限する割合３２を通知して、ステップＳ３０８に進む。
ステップＳ１５３にて、バッテリ装置制御部２は、上述した充電を制限する割合３２をメモリ３に記録する。
【００５８】
ステップＳ３０８にて、カメラ本体制御部２１は、情報入力部２５から充電完了希望時刻設定モードを起動するための信号が入力された場合は、ステップＳ３０９に進む。信号が入力されていない場合は、処理を終了する。
ステップＳ３０９にて、カメラ本体制御部２１は、図６（ｃ）に示される画面をカメラ表示部２６に表示して、ステップＳ３１０に進む。
なお、図６（ｃ）は、「充電完了希望時刻」の初期値として１５時００分がメモリ３に保存されているときに、カメラ表示部２６に表示する画面の一例である。
【００５９】
ステップＳ３１０にて、カメラ本体制御部２１は、不図示の十字釦や決定釦が操作されることで情報入力部２５から送られた信号に基づき、充電完了の希望時刻３３を設定する。カメラ本体制御部２１は、バッテリ装置制御部２に上述した充電完了の希望時刻３３を通知して、処理を終了する。
ステップＳ１５４にて、バッテリ装置制御部２は、上述した充電完了の希望時刻３３をメモリ３に記録する。
なお、カメラ本体制御部２１は、「充電制限時間」と「充電制限の割合」と「充電完了希望時刻」との内の少なくとも１つの項目を設定できればよい。その場合には、カメラ本体制御部２１は、設定されなかった項目については初期値を利用するよう制御する。
【００６０】
[第２実施形態]
次に、本発明の第２実施形態について説明する。
但し、本発明の第２実施形態に記載される構成要素について、第１実施形態と同じ構成要素には、同じ符号を付し、その詳細な説明は省略する。
【００６１】
図７は、第２実施形態におけるバッテリ装置４０の電気的構成を示したブロック図である。第１実施形態におけるバッテリ装置１と第２実施形態におけるバッテリ装置４０との違いは、バッテリ装置４０がさらに無線通信部４１を備えていることである。
なお、本実施形態におけるバッテリ装置４０は、カメラ本体２０に対して着脱可能である。
【００６２】
無線通信部４１は、バッテリ装置制御部２と電気的に接続される。また、無線通信部４１は、外部機器との間で無線により通信を行う無線ＬＡＮ（ローカルエリアネットワーク）機能を有する内部ユニットを構成しており、ＩＥＥＥ８０２．１１シリーズの通信規格に基づいて外部機器と接続される。
外部機器は、たとえば「充電の制限に適した時間」に関する情報を発信する情報端末である。この情報端末は、一日の内で電気料金が他の時間における電気料金に比べて割高な時間など、「充電の制限に適した時間」に関する情報を保持している。
【００６３】
次に、バッテリ装置４０がカメラ本体２０から取外された状態におけるバッテリ装置制御部２の制御を、図８に示すフローチャートを用いて説明する。但し、図８におけるフローチャートでは、図４に示したフローチャートにおけるステップと、同じステップについては、同一のステップ番号を付し、ここでの説明は省略する。
【００６４】
ステップＳ１６１にて、バッテリ装置制御部２は、無線通信部４１を介して充電制御に関する情報を受信するのを待機する。充電制御に関する情報を受信した場合、ステップＳ１６２に進む。
【００６５】
ステップＳ１６２にて、バッテリ装置制御部２は、受信した充電制御に関する情報に、「充電を制限する時間の情報」が含まれるか否かを判断する。「充電を制限する時間の情報」が含まれる場合はステップＳ１５２に進み、「充電を制限する時間の情報」が含まれない場合はステップＳ１６３に進む。
【００６６】
ステップＳ１６３にて、バッテリ装置制御部２は、受信した充電制御に関する情報に、「充電を制限する割合の情報」が含まれているか否かを判断する。「充電を制限する割合の情報」が含まれる場合はステップＳ１５３に進み、「充電を制限する割合の情報」が含まれない場合はステップＳ１６４に進む。
【００６７】
ステップＳ１６４にて、バッテリ装置制御部２は、受信した充電制御に関する情報に、希望時刻が含まれるか否かを判断する。希望時刻が含まれる場合はステップＳ１５４に進み、希望時刻が含まれない場合は処理を終了する。
【００６８】
なお、第２実施形態におけるバッテリ装置４０は、カメラ本体２０に接続された状態で、図８に示す上述の制御を実行してもよい。その場合は、カメラ本体制御部２１からの情報又は無線通信部４１からの情報の内、少なくとも一方の情報に基づいて、充電を制御するよう構成してもよい。
【００６９】
本発明は、上述した実施形態に限られることなく、種々の変更が出来る。
【００７０】
本発明における実施形態では、バッテリ装置制御部２が充放電制御スイッチ５を制御することにより、電池セル６への電力供給を制限している。しかしながら、上述の実施形態に限られることはない。バッテリ装置制御部２は、メモリ３に記録されている「充電を制限する時間に関する情報」をバッテリ装置１、４０の情報通信接点８ｃと充電器１０の情報通信接点１３ｃとを介して充電器制御部１１に通知し、充電器制御部１１にバッテリ装置制御部２からの通知に基づいて電源供給回路１２を制御させることでバッテリ装置１、４０への充電を制限するように構成してもよい。
【００７１】
また、充放電制御スイッチ５は、ＤＣ／ＤＣコンバータと開閉スイッチとで構成されていてもよい。その場合には、バッテリ装置制御部２は、バッテリ装置１、４０の＋接点８ａと−接点８ｄとの間の接点間電圧を、ＤＣ／ＤＣコンバータを用いて所望の充電制限の割合になるように電圧降下させることで電力供給量を制限して電池セル６へ供給する。
【００７２】
また、ＲＴＣ回路４のレジスタに充電を制限する時間を保持しておき、充電を制限する時間の開始時刻又は終了時刻になるとＲＴＣ回路４がバッテリ装置制御部２に充電の制限の開始と終了とをそれぞれ通知するように構成してもよい。
【００７３】
また、表示部９をＬＥＤで構成し、かつ充電状態（充電中など）を示すＬＥＤ１と現在時刻が充電を制限する時間に含まれていることを示すＬＥＤ２とをそれぞれ設けるように構成してもよい。さらにバッテリ装置制御部２は、充電を制限する時間帯においてＬＥＤ１を点滅させるように構成してもよい。
【００７４】
また、ステップＳ１０１にて、バッテリ装置制御部２は「充電を制限する時間」として、「充電を制限する時間の開始時刻」と「開始時刻からの時間」とをメモリ３から読出してもよい。
また、ステップＳ１０１にてバッテリ装置制御部２は「充電を制限する時間」として、「充電を制限する時間の終了時刻」と「終了時刻までの時間」とをメモリ３から読み出してもよい。
【００７５】
また、図７に記載される無線通信部４１は、カメラ本体２０に備えられていてもよい。その場合には、カメラ本体制御部２１の制御について図８と同様である。以下にこの場合のカメラ本体制御部２１の動作について説明する。
ステップＳ１６１にて、カメラ本体制御部２１は、充電制御に関する情報の受信を待機する。
ステップＳ１６２乃至ステップＳ１６４にて、カメラ本体制御部２１は、受信した充電制御に関する情報の中に、必要な情報が含まれているか判断する。
必要な情報があった場合は、ステップＳ１５２乃至ステップＳ１５４でバッテリ装置制御部２に必要な情報を伝達するように制御すればよい。
【図１】
2014039445.tif 000003
【図２】
2014039445.tif 000004
【図３】
2014039445.tif 000005
【図４】
2014039445.tif 000006
【図５】
2014039445.tif 000007
【図６】
2014039445.tif 000008
【図７】
2014039445.tif 000009
【図８】
2014039445.tif 000010